(57)【特許請求の範囲】
【請求項１】
流量の計測結果を表示する表示部などの周囲で突出する蓋装着用突部と、該蓋装着用突部が差し込まれる差し込み溝が筒状胴部の開口端側に形成されたカップ状の開閉蓋とを有し、前記差し込み溝内に前記蓋装着用突部を差し込んだときに前記蓋装着用突部の両側面部と該両側面部のそれぞれに対応する前記差し込み溝の内周側面部との間においてその一方側から突出する係合突起が他方側に形成されている係合孔にそれぞれ嵌まることにより前記開閉蓋が前記係合突起の軸線周りに回転可能に取り付けられた流量メータにおいて、
前記蓋装着用突部の先端面から切り込まれたスリット、および前記差し込み溝の奥端部から前記筒状胴部に切り込まれたスリットのうちの少なくとも一方のスリットを備えていることを特徴とする流量メータ。
【請求項２】
請求項１において、前記スリットの奥端部は、該スリットの幅寸法よりも大きな径の円形孔になっていることを特徴とする流量メータ。
【請求項３】
請求項１または２において、流量の計測結果を表示する表示部を備える計測ユニットと、該計測ユニットをメータ本体との間で挟持するための固定リングとを有し、該固定リングの上端面に前記蓋装着用突部が構成されていることにより、前記開閉蓋は前記表示部の上面側を開放した状態および覆った状態に切り換わるように構成されていることを特徴とする流量メータ。
【請求項４】
請求項１ないし３のいずれかにおいて、前記係合突起は、円柱状の突起のうち前記差し込み溝内への前記蓋装着用突部の差し込み方向側に位置する部分がその反対側に位置する部分を残してテーパ面とされた形状を有することを特徴とする流量メータ。
【請求項５】
請求項１ないし４のいずれかにおいて、前記係合突起は前記開閉蓋の側に形成され、前記蓋装着用突部は、前記先端面から前記両側面部に至る部分のうち少なくとも前記係合突起の形成位置に対応する部分がテーパ面になっていることを特徴とする流量メータ。
【発明の詳細な説明】
【０００１】
【発明の属する技術分野】
本発明は、水道水などの流量を計測するための流量メータに関するものである。さらに詳しくは、計測ユニットの表示部などを覆う開閉蓋の取り付け構造に関するものである。
【０００２】
【従来の技術】
水道水などの流量を計測するための流量メータでは、メータ本体に形成されている凹部に対して計測ユニットの下端部を嵌め込み、この状態で計測ユニットを固定リングを用いてメータ本体との間に挟持することが多い。また、流量メータには計測ユニットの表示部などを覆うカップ状の開閉蓋を取り付けることがあり、このような開閉蓋は、たとえば図７（ａ）に示すように取り付けられる。すなわち、前記の固定リング１３などの側に蓋装着用突部１３ａを形成する一方、カップ状の開閉蓋１２の側には、その筒状胴部の開口端側に、蓋装着用突部１３ａが差し込まれる差し込み溝１２ｃを形成しておく。また、蓋装着用突部１３ａおよび開閉蓋１２の側にリベット１４を通す孔１２ｂ、１３ｂを形成しておき、差し込み溝１２ｃ内に蓋装着用突部１３ａを差し込んだ後、リベット１４を孔１２ｂ、１３ｂに通せば、開閉蓋１２は、リベット１４の軸線周りに回転可能にかつ高荷重に耐え得る状態に取り付けられる。
【０００３】
しかし、図７（ａ）に示す構造では、差し込み溝１２ｃ内に蓋装着用突部１３ａを差し込んだ後、それらをリベット１４で連結する必要があるので、部品点数が増えるとともに、蓋の取り付けに手間がかかるという問題点がある。そこで、図７（ｂ）に示すようなワンタッチ方式の取り付け構造が用いられる。図７（ｂ）に示す構造でも、固定リング１１などの側に蓋装着用突部１１ａを形成する一方、カップ状の開閉蓋１０の側には、その筒状胴部の開口端側に、蓋装着用突部１１ａが差し込まれる差し込み溝１０ｃを形成しておく。ここで、蓋装着用突部１１ａの両側面部に係合孔１１ｂを形成し、差し込み溝１０ｃの内周側面部に円錐形状の係合突起１０ｂを形成しておくと、差し込み溝１０ｃ内に蓋装着用突部１１ａを押し込むだけで、係合孔１１ｂに係合突起１０ｂが嵌まる。それ故、開閉蓋１０は、ワンタッチで係合突起１０ｂの軸線周りに回転可能に取り付けられる。
【０００４】
【発明が解決しようとする課題】
しかしながら、図７（ｂ）に示す取り付け構造では、差し込み溝１０ｃの内周側面部で係合突起１０ｂが突出しているので、差し込み溝１０ｃ内に蓋装着用突部１１ａを簡単には差し込めない。そこで、係合突起１０ｂを低くすることが考えられるが、係合突起１０ｂを低くすると、その分、小さな荷重がかかっただけで開閉蓋１０が外れてしまうことになる。このように、従来の取り付け構造では、蓋９を取り付けるときの利便性と、蓋９の取り付け部分の耐荷重性能とが二律背反するという問題点がある。
【０００５】
そこで、本発明の課題は、蓋を取り付ける際の利便性と、蓋の取り付け部分の耐荷重性能のいずれもが優れている蓋の取り付け構造を有する流量メータを提供することにある。
【０００６】
【課題を解決するための手段】
上記の課題を解決するために、本発明では、流量の計測結果を表示する表示部などの周囲で突出する蓋装着用突部と、該蓋装着用突部が差し込まれる差し込み溝が筒状胴部の開口端側に形成されたカップ状の開閉蓋とを有し、前記差し込み溝内に前記蓋装着用突部を差し込んだときに前記蓋装着用突部の両側面部と該両側面部のそれぞれに対応する前記差し込み溝の内周側面部との間においてその一方側から突出する係合突起が他方側に形成されている係合孔にそれぞれ嵌まることにより前記開閉蓋が前記係合突起の軸線周りに回転可能に取り付けられた流量メータにおいて、前記蓋装着用突部の先端面から切り込まれたスリット、および前記差し込み溝の奥端部から前記筒状胴部に切り込まれたスリットのうちの少なくとも一方のスリットが形成されていることを特徴とする。
【０００７】
すなわち、ワンタッチ方式の蓋取り付け構造において、開閉蓋の差し込み溝内に蓋装着用突部を差し込むとき必要な力が小さくて済むようなスリットを設けることに特徴を有する。たとえば、蓋装着用突部の方においてその先端面からスリットを切り込んだ構造では、開閉蓋の差し込み溝内に蓋装着用突部を差し込むときに、蓋装着用突部はスリット幅分だけ縮まるので、開閉蓋の差し込み溝内に蓋装着用突部を簡単に差し込むことができる。また、開閉蓋の方において、差し込み溝の奥端部から筒状胴部にスリットを切り込んだ構造では、開閉蓋の差し込み溝内に蓋装着用突部を差し込むときに差し込み溝はスリットが形成されている分、大きく拡がるので、開閉蓋の差し込み溝内に蓋装着用突部を簡単に差し込むことができる。それ故、係合突起を高くしてそこでの係合強度を高めた場合でも、開閉蓋を取り付けるのに支障がない。よって、開閉蓋を取り付けるときの利便性と、蓋の取り付け部分の耐荷重性能のいずれもが優れている蓋取り付け構造を実現することができる。
【０００８】
本発明において、前記スリットの奥端部は、該スリットの幅寸法よりも大きな径の円形孔になっていることが好ましい。このように構成すると、スリット奥端部が損傷しにくくなるとともに、スリットが短い場合でも、開閉蓋の側または蓋装着用突部の側において大きな弾性変形が可能となる。それ故、開閉蓋の差し込み溝内に蓋装着用突部を簡単に差し込むことができる。また、スリットを短くできる分、そこから異物が侵入するのを抑えることができる。
【０００９】
本発明において、流量の計測結果を表示する表示部を備える計測ユニットと、該計測ユニットをメータ本体との間で挟持するための固定リングとを有し、該固定リングの上端面に前記蓋装着用突部が構成されていることにより、前記開閉蓋は前記表示部の上面側を開放した状態および覆った状態に切り換わるように構成されることがある。
【００１０】
本発明において、前記係合突起は、円柱状の突起のうち前記差し込み溝内への前記蓋装着用突部の差し込み方向側に位置する部分がその反対側に位置する部分を残してテーパ面とされた形状を有することが好ましい。本発明における「前記差し込み溝内への前記蓋装着用突部の差し込み方向側」とは、蓋装着用突部の方に係合突起が形成されている場合にはその先端側のことを意味し、開閉蓋の差し込み溝側に係合突起が形成されている場合にはその溝入り口側のことを意味する。このように構成すると、係合突起にテーパ面がある分、開閉蓋の差し込み溝内に蓋装着用突部をより差し込みやすくなる。また、係合突起の一部にだけテーパ面が形成されているので、係合孔に係合突起が一旦嵌まると、係合孔から係合突起が抜けようとしても係合突起の段差の厳しい部分が係合孔に引っ掛かる。それ故、特定の道具を用いて開閉蓋あるいは蓋装着用突部を変形させるか、係合突起が１８０°回転しない限り、すなわち、開閉蓋が１８０°回転しない限り、係合突起は係合孔から抜けることがない。ここで、開閉蓋が１８０°も回転することは滅多にないので、係合突起が係合孔から不用意に抜けることはない。
【００１１】
本発明において、前記係合突起が前記開閉蓋の側に形成されている場合には、前記蓋装着用突部は、前記先端面から前記両側面部に至る部分のうち少なくとも前記係合突起の形成位置に対応する部分がテーパ面になっていることが好ましい。このように構成した場合には、開閉蓋の差し込み溝内に蓋装着用突部を差し込む際に、係合突起は蓋装着用突部のテーパ面に沿って側面部に乗り上げることになるので、開閉蓋の差し込み溝内に蓋装着用突部をより差し込みやすくなる。
【００１２】
【発明の実施の形態】
以下に図面を参照して本発明の実施の形態を説明する。
【００１３】
（流量メータの全体構成）
図１は、本発明を適用した流量メータを示す縦断面図である。
【００１４】
この図に示すように、流量メータ１の本体１ａは、下ケース２１と上ケース２２とからなるメータケース２と、下ケース２１の内部に固定された計量室４と、メータケース２内において計量室４の上面側に位置する受圧ケース６と、計量室４内において流量に応じて回転する羽根車５と、羽根車５の上流側位置で流体に渦流を発生させて羽根車５に加わるスラスト力を低減させる整流器３１を支持する整流器ケース３２とから概ね構成されている。
【００１５】
下ケース２１は流入口２１ａおよび流出口２１ｂを備え、流体の流路が区画形成されている。下ケース２１の内部には、流路を形成するための仕切り部２１ｃがせり出し、そこに整流器ケース３２が係合している。整流器ケース３２は上から計量室４によって押さえられている。計量室４における整流器ケース３２を押さえた部分は円筒状になっており、その内側に羽根車５が配置されている。羽根車５は上下を支持軸５２によって回転自在に支持された回転軸５１に取り付けられている。計量室４の上部４１はカップ状になっており、凹部４１ａを上に向けた状態にある。この凹部４１ａの内側には、計量室４の上端部４１ｂにフランジ６ａが載るようにして、カップ状の受圧ケース６が配置されている。受圧ケース６の下面には一方の支持軸５２が取り付けられている。羽根車５を備えた回転軸５１の一方の端部５１ａは計量室４の上側に突出して受圧ケース６の下面まで延びている。この回転軸５１の端部５１ａには、マグネット５３が取り付けられている。
【００１６】
メータ本体１ａの上面部において、受圧ケース６は有底筒状を呈していることからそこには凹部６ｂ（計測ユニット装着用の凹部）が構成され、この凹部６ｂには、受圧ケース６を介してマグネット５３に対向するように計測ユニット７が嵌め込まれている。また、凹部６ｂ内に嵌め込まれた計測ユニット７は、後述するように、固定用リング８を用いてそこに固定されている。
【００１７】
（計測ユニットの固定構造）
図２（ａ）において、計測ユニット７は全体として円柱状をしており、下側は羽根車５の回転をＭＲ素子（図示せず。）によって磁気的検出するための検出部７ａとなっている。計測ユニット７の上端面７ｄには、検出したデータを表示するための表示部７４が形成され、上端面７ｄからはデータを送信するための信号ケーブル７３が引き出されている。また、計測ユニット７の外周７ｂには環状に張り出したフランジ部７ｃが形成されている。
【００１８】
固定リング８は、全体として環状に形成されており、それを計測ユニット７に被せたときに計測ユニット７のフランジ部７ｃよりも上側部分を覆うように構成されている。また、固定リング８の外周側面には環状に張り出したフランジ部８ａが形成されている。従って、図１に示すように、下ケース２１の内側に受圧ケース６などを装着した後、それに上ケース２２を被せ、ボルト２３とナット２４で上ケース２２と下ケース２１とを固定する際に、固定リング８を被せた計測ユニット７を受圧ケース６の凹部６ｂに嵌め込んでおくと、固定リング８のフランジ部８ａは、上ケース２２と受圧ケース６との間に挟持される。また、計測ユニット７のフランジ部７ｃは、固定リング８と受圧ケース６との間に挟持される。なお、計測ユニット７には、フランジ部７ｃの上下双方にガスケット７１をそれぞれ装着しておく。メータ本体１ａに計測ユニット７を固定した後は、固定リング８に蓋９が取り付けられる。
【００１９】
（信号ケーブルの保持構造）
このようにして、メータ本体１ａに計測ユニット７を固定した状態で計測ユニット７の側からは信号ケーブル７３を引き出すが、その際に信号ケーブル７３の根元部分を固定しておくことを目的に、本発明では、図２（ａ）に示すように、固定リング８自身にケーブル挿通孔８２を形成し、このケーブル挿通孔８２内で信号ケーブル７３を保持するようになっている。
【００２０】
すなわち、固定リング８の上面８ｇには、上方に向けて突部８ｉが一体成形され、この突部８ｉを半径方向に貫通するケーブル挿通孔８２が形成されている。固定リング８には、ケーブル挿通孔８２からリング下面部８ｈに届くように第１の継ぎ目部８１が形成され、ケーブル挿通孔８２から突部８ｉの側面部８ｊ（リング上面部８ｇ）に届くように第２の継ぎ目部８ｅが形成されている。
【００２１】
固定リング８には、第２の継ぎ目部８ｅによって分割された突部８ｉの上側部分にはそれを上下方向に貫通する孔８ｂが形成され、固定リング８の方に残された突部８ｉの下側部分の方にはねじ孔８ｃが形成されている。
【００２２】
ここで、固定リング８は、ＡＢＳ樹脂などの弾性をもった樹脂材料から形成されているため、図２（ｂ）において矢印Ａに示すように、第１および第２の継ぎ目部８１、８ｅを周方向に拡げるように、固定リング８を弾性変形させることができ、このようにすると、固定リング８の端部８ｍ、８ｎ同士は完全に離間することになる。
【００２３】
また、ケーブル挿通孔８２は、信号ケーブル７３の外径寸法よりもやや小さめの内径寸法をもつように形成されている。このため、以下のようにして、ケーブル挿通孔８２に信号ケーブル７３を通せば、信号ケーブル７３は固定リング８の弾性力によってそこに保持されることになる。すなわち、図２（ｂ）に示すように、計測ユニット７の上方位置で、矢印Ａに示すように、第１および第２の継ぎ目部８１、８ｅを周方向に拡げるように、固定リング８を弾性変形させ、この状態で、固定リング８を計測ユニット７に被せる。このとき、信号ケーブル７３は固定リング８の下方位置にあるが、第１の継ぎ目部８１が拡げられているので、信号ケーブル７３をリング下面部８ｈから第１の継ぎ目部８１を経由させてケーブル挿通孔８２にまで通すことができる。また、固定リング８を拡げていた力を緩めれば、固定リング８は、それ自身の弾性復帰力により第１および第２の継ぎ目部８１、８ｅが閉じる。従って、図３に示すように、突部８ｉの上側部分と突部８ｉの下側部分とが重なるので、孔８ｂからねじ８３をねじ孔８ｃに止めることができ、このように突部８ｉの上側部分と突部８ｉの下側部分とを完全に固定すると、ケーブル挿通孔８２が狭まる。それ故、信号ケーブル７３はケーブル挿通孔８２内に完全に固定される。
【００２４】
（固定リングへの蓋の取り付け構造）
図３から分かるように、固定リング８にはカップ状の蓋９（開閉蓋）を被せるようになっており、この蓋９の円筒状胴部９ｅには、固定リング８から上方に突出する蓋装着用突部８ｄでの着脱を可能とする係合部９０と、蓋９を閉じたときに突部８ｉと干渉することを防ぐための切り欠き９ｂと、開閉動作を行うときの取っ手部分９ｃとが形成されている。
【００２５】
蓋９の係合部９０は、円筒状胴部９ｅの外周面において２列平行に下方に突き出た連結部９ａと、これらの連結部９ａの間において固定リング８の蓋装着用突部８ｄが入り込む差し込み溝９ｇと、この差し込み溝９ｇ内に突き出るように連結部９ａの下端部（差し込み溝９ｇの内周側面部）に形成された係合突起９ｄとから構成されている。
【００２６】
固定リング８の蓋装着用突部８ｄには、その両側面部８ｓのそれぞれに円形の係合孔８ｆが形成されている。従って、蓋装着用突部８ｄを蓋９の差し込み溝９ｇ内に差し込むようにして蓋９を固定リング８に被せるだけで、係合孔８ｆに対して係合突起９ｄがそれぞれ嵌まる。それ故、蓋９と固定リング８とをリベットなどで連結しなくても、蓋９は固定リング８に対して係合突起９ｄの軸線周りに回転可能なようにワンタッチで取り付けられる。
【００２７】
図４は、蓋の取り付け部分を示す説明図である。
【００２８】
図４に示すように、本発明では、蓋９の円筒状胴部９ｅには差し込み溝９ｇの奥端部から底部９ｋに向けてはスリット９ｉが形成されている。このスリット９ｉの奥端部９ｊは、スリット９ｉの幅寸法よりも大きな径寸法を有する円形孔９０ｊとなっている。また、蓋装着用突部８ｄの上面部８ｒから基端部８ｔに向けてはスリット８ｐが形成されている。このスリット８ｐの奥端部８ｑも、スリット８ｐの幅寸法よりも大きな径寸法を有する円形孔８０ｑとなっている。従って、蓋９を固定リング８に取り付ける際に蓋装着用突部８ｄを差し込み溝９ｇ内に差し込もうとしたときには、スリット９ｉが形成されている分、連結部９ａが大きく弾性変形して差し込み溝９ｇが十分に拡がる。また、スリット８ｐが形成されている分、蓋装着用突部８ｄが縮む。従って、係合突起９ｄを高くしても、蓋装着用突部８ｄを差し込み溝９ｇ内に無理なく差し込むことができるので、係合孔８ｆに対して係合突起９ｄが深く係合するように構成できる。それ故、蓋９を取り付ける際の利便性と、蓋９の取り付け部分の耐荷重性能のいずれもが高い。また、いずれもスリット９ｉ、８ｐも、奥端部９ｊ、８ｑがスリット幅寸法よりも大きな径寸法を有する円形孔９０ｊ、８０ｑとなっているため、奥端部９ｊ、８ｑにひびや割れなどが発生しない。さらに、奥端部９ｊ、８ｑが円形孔９０ｊ、８０ｑとなっている分、スリット９ｉ、８ｐが短くても、蓋９の側または蓋装着用突部８ｄの側において大きな弾性変形が可能となる。それ故、蓋９の差し込み溝９ｇ内に蓋装着用突部８ｄを簡単に差し込むことができるとともに、スリット９ｉ、８ｐを短くできる分、そこから異物が侵入するのを抑えることができる。
【００２９】
（係合突起の細部）
図５には、蓋９に形成した２つの係合突起９ｄの一方を拡大して示してある。図５からわかるように、係合突起９ｄは、円柱状の突起のうち差し込み溝９ｇ内への蓋装着用突部８ｄの差し込み方向側（下側）に位置する部分がその反対側（上側）に位置する部分を半分以上残してテーパ面９ｈとされた形状になっている。従って、係合突起９ｄにテーパ面９ｈがある分、係合突起９ｄが蓋装着用突部８ｄに引っ掛かりにくいので、差し込み溝９ｇ内に蓋装着用突部８ｄをより差し込みやすい。また、係合突起９ｄの１／２以下に相当する部分だけがテーパ面９ｈになっているので、係合孔８ｆに係合突起９ｄが一旦嵌まると、係合孔８ｆから係合突起９ｄが抜けようとしても係合突起９ｄの段差の厳しい部分が係合孔８ｆに引っ掛かる。それ故、特定の道具を用いて蓋９あるいは蓋装着用突部８ｄを変形させるか、係合突起が１８０°回転しない限り、すなわち、蓋９が１８０°回転しない限り、係合突起９ｄは係合孔８ｆから抜けることがない。ここで、蓋９は、周囲と干渉して１８０°も回転することはありえないので、本形態では、係合突起９ｄは係合孔８ｆから不要に抜けることがない。従って、蓋９がいたずらに取り去られることがない。
【００３０】
（蓋装着用突部の細部）
図６には、固定リング８に形成した蓋装着用突部８ｄを拡大して示してある。図６からわかるように、蓋装着用突部８ｄは、先端面８ｒから両側面部８ｓに至る部分のうち少なくとも係合突起９ｄの形成位置に対応する部分がテーパ面８ｋになっている。このため、蓋９の差し込み溝９ｇ内に蓋装着用突部８ｄを差し込む際に、係合突起９ｄは蓋装着用突部８ｄのテーパ面８ｋに沿って側面部８ｓに乗り上げ、しかる後に係合孔８ｆに嵌まることになるので、この点からいっても、差し込み溝９ｇ内に蓋装着用突部８ｄを差し込みやすい。しかも、蓋装着用突部８ｄでは、係合突起９ｄが通る部分のみがテーパ面８ｋになっており、その両側は係合突起９ｄが通る際のガイド部８０ｋとして残されている。それ故、係合突起９ｄは、ガイド部８０ｋに案内されながら側面部８ｓに乗り上げるので、差し込み溝９ｇ内に蓋装着用突部８ｄを差し込みやすい。
【００３１】
（その他の形態）
上記形態では、蓋装着用突部８ｄおよび蓋９の側の双方にスリット９ｉ、８ｐを形成したが、それらを構成する材料自身の弾性変形度合いなどからみてそれらの一方のみにスリットを形成してもよい。
【００３２】
また、蓋９については表示部に対して設けるのに限定されることがなく、流量メータにおいて必要な部分を保護するのに設ければよい。
【００３３】
さらに、上記形態では、蓋９の差し込み溝９ｇの方に係合突起９ｄを形成し、固定リング８の蓋装着用突部８ｄの方に係合孔８ｆを形成したが、差し込み溝９ｇの方に係合孔を形成し、蓋装着用突部８ｄの方に係合突起を形成してもよい。この場合にも、係合突起については、円柱状の突起のうち差し込み溝内への蓋装着用突部の差し込み方向側（蓋装着用突部の先端面側）に位置する部分がその反対側（蓋装着用突部の基部側）に位置する部分を残してテーパ面とされた形状を有するように構成することが好ましい。このように構成すると差し込み溝９ｇ内に蓋装着用突部８ｄを差し込む際に、係合突起は差し込み溝の開口縁（連結部９ａの下端部）に引っ掛かりにくい。
【００３４】
【発明の効果】
以上説明したように、本発明では、開閉蓋の差し込み溝内に蓋装着用突部を差し込んだときに係合突起が係合孔にそれぞれ嵌まることにより開閉蓋が蓋装着用突部に取り付けられるように構成され、かつ、開閉蓋または蓋装着用突部には差し込み溝内に蓋装着用突部を差し込むときの弾性変形をたすけるスリットが形成されていることに特徴を有する。従って、本発明によれば、スリットが形成されている分だけ、開閉蓋の差し込み溝内に蓋装着用突部を差し込むとき必要な力が小さくて済むので、係合突起を高くしてそこでの係合強度を高めた場合でも、開閉蓋を取り付けるのに支障がない。それ故、開閉蓋を取り付けときの利便性と、蓋の取り付け部分の耐荷重性能のいずれもが優れている蓋取り付け構造を実現することができる。
【００３５】
スリットの奥端部をスリット幅寸法よりも大きな径の円形孔にした場合には、スリットが短い場合でも開閉蓋の側または蓋装着用突部の側において大きな弾性変形が可能となる。また、スリットが短くできる分、そこから異物が侵入するのを抑えることができる。
【００３６】
円柱状の突起の所定部分をテーパ面とした係合突起を用いた場合には係合突起にテーパ面がある分、開閉蓋の差し込み溝内に蓋装着用突部をより差し込みやすくなる。また、係合突起の一部にだけテーパ面が形成されているので、係合孔に係合突起が一旦嵌まると、係合孔から係合突起が抜けようとしても係合突起の段差の厳しい部分が係合孔に引っ掛かる。それ故、開閉蓋は不用意に外れることがない。
【図面の簡単な説明】
【図１】本発明を適用した流量メータを示す縦断面図である。
【図２】（ａ）は、固定リングを計測ユニットに被せる前の様子を示す説明図、（ｂ）は、固定リングを計測ユニットに被せるために固定リングを弾性変形させた様子を示す説明図である。
【図３】本発明を適用した流量メータにおいて固定リングに蓋を取り付ける様子を示す説明図である。
【図４】本発明を適用した流量メータの蓋の取り付け部分を示す説明図である。
【図５】図４に示す蓋の取り付け部分に用いた係合突起の拡大斜視図である。
【図６】図４に示す蓋の取り付け部分に用いた蓋装着用突部の拡大斜視図である。
【図７】（ａ）は、従来の高荷重用の蓋の取り付け構造を示す説明図、（ｂ）は、従来の低荷重用の蓋の取り付け構造を示す説明図である。
【符号の説明】
１  流量メータ
１ａ  メータ本体
２  メータケース
７  計測ユニット
７３  信号ケーブル
７４  表示部
８  固定リング
８ｄ  蓋装着用突部
８ｆ  係合孔
８ｐ、９ｉ  スリット
８ｇ  固定リング上面部
８０ｑ、９０ｊ  スリット奥端部の円形孔
８ｋ、９ｈ  テーパ面
９  蓋（開閉蓋）
９ａ  連結部
９ｄ  係合突起
９ｇ、９０ｊ  差し込み溝
【図１】
0003709020.tif 000002
【図２】
0003709020.tif 000003
【図３】
0003709020.tif 000004
【図４】
0003709020.tif 000005
【図５】
0003709020.tif 000006
【図６】
0003709020.tif 000007
【図７】
0003709020.tif 000008